(57)【要約】【課題】本発明は、安定した明るさの光を発生させることのできるストロボ装置を提供することを課題とする。【解決手段】棒状の閃光放電管２と、該閃光放電管２からの光を反射させる反射傘３とを備え、反射傘３にトリガ電圧を印加することで閃光放電管２が発光するように構成されたストロボ装置１において、前記閃光放電管２及び反射傘３の少なくとも何れか一方には、前記閃光放電管２及び反射傘３の少なくとも何れか他方に当接する導電性当接部４０が設けられ、該導電性当接部４０は、閃光放電管２の軸心方向に沿って連続的又は断続的に配置されていることを特徴とする。【選択図】図２
2012194304.tif 000002
【特許請求の範囲】
【請求項１】
棒状の閃光放電管と、該閃光放電管からの光を反射させる反射傘とを備え、反射傘にトリガ電圧を印加することで閃光放電管が発光するように構成されたストロボ装置において、前記閃光放電管及び反射傘の少なくとも何れか一方には、前記閃光放電管及び反射傘の少なくとも何れか他方に当接する導電性当接部が設けられ、該導電性当接部は、閃光放電管の軸心方向に沿って連続的又は断続的に配置されていることを特徴とするストロボ装置。
【請求項２】
前記反射傘は、金属プレートから成形されるとともに、前記導電性当接部が前記閃光放電管の軸心方向に沿って真っ直ぐ伸びるとともに、反射面側に突出するように形成されていることを特徴とする請求項１に記載のストロボ装置。
【請求項３】
前記導電性当接部が突起状に形成されるとともに複数設けられ、該複数の導電性当接部が閃光放電管の軸心方向に沿って前記反射傘の反射面側に設けられ、閃光放電管の導電性当接部との接触部分が前記軸心方向に沿って分布するように構成されていることを特徴とする請求項１に記載のストロボ装置。
【発明の詳細な説明】
【技術分野】
【０００１】
本発明は、閃光放電管にトリガ電圧を印加して発光させるストロボ装置に関し、より詳しくは、反射傘を介して閃光放電管にトリガ電圧を印加することで発光させるストロボ装置に関する。
【背景技術】
【０００２】
従来から、デジタルスチルカメラや、携帯電話等の機器に一体的に搭載されているストロボ装置や、該機器に後付けされるストロボ装置があるが、これらは何れも棒状の閃光放電管と、該閃光放電管からの光を被写体に向けて反射させる反射傘とを備えている（特許文献１参照）。
【０００３】
一般的に閃光放電管は、一方向に長手をなした筒状のガラスバルブの両端に電極端子が封着され、ガラスバルブ内に希ガスが封入されている。これにより、閃光放電管は、両端にある電極端子に電力を供給しつつガラスバルブの外周にトリガ電圧を印加することで希ガスが励起されて発光するようになっている。
【０００４】
そして、この種のストロボ装置には、閃光放電管のガラスバルブの外周面に形成された導電性被膜にトリガ電圧を印加するようにしたものがあるが、導電性被膜を設けると発生した光が該導電性被膜に吸収され、発光時の光量が少なくなるといった問題がある。
【０００５】
そこで、光量の低下の原因となる導電性被膜を形成することなく閃光放電管にトリガ電圧を印加することのできるストロボ装置が提供されている。
【０００６】
かかるストロボ装置の反射傘は、凹状の湾曲面を形成するように導電性を有するプレートが曲げ加工して形成され、前記湾曲面が反射面とされている。そして、該反射傘は、湾曲した反射面の中央部（湾曲方向の中央部）に凹条部が形成され、当該凹条部に閃光放電管のガラスバルブを嵌入できるようになっている。そして、該反射傘は、凹条部に閃光放電管のガラスバルブを嵌入した状態で、凹条部の内面がガラスバルブの外周面と面接触するようになっている（例えば、特許文献１参照）。
【０００７】
これにより、上記構成のストロボ装置は、反射傘にトリガ電圧を印加することで、閃光放電管のガラスバルブの外周面のうち凹条部の内面と面接触した領域にトリガ電圧が印加されて閃光放電管が発光するようになっている。従って、該ストロボ装置は、発生した光が吸収されることなく多くの光が反射面に反射されて被写体に照射できるとされている。
【先行技術文献】
【特許文献】
【０００８】
【特許文献１】実公平４−５５３１２号公報
【発明の概要】
【発明が解決しようとする課題】
【０００９】
しかしながら、従来のストロボ装置は、被写体に照射する光の明るさにばらつきが生じるといった問題がある。具体的に説明すると、閃光放電管は、発光の都度、トリガ電圧が印加される領域内の異なる位置が発光の源点（以下、発光点という）となる。そのため、上述の如く、反射傘の凹部の内面をバルブの外周面に面接触させると、トリガ電圧を印加したときに面接触した広い領域内の不特定な位置で発光することになり、バルブの周方向で異なる位置を発光点として発光すると、その発光点と反射傘の反射面との相対的な位置関係が相違することになるため、発生した光の反射方向にばらつきが生じ、被写体に対して一定の光量の光を照射することができないといった問題がある。
【００１０】
特に、光量が少ない光を発生させる場合、発光点がより局所的になるため、光が発生する位置が変化しやすく、被写体に照射する光の明るさがより顕著にばらついていた。
【００１１】
そこで、本発明は、かかる実情に鑑み、安定した明るさの光を発生させることのできるストロボ装置を提供することを課題とする。
【課題を解決するための手段】
【００１２】
本発明に係るストロボ装置は、棒状の閃光放電管と、該閃光放電管から発生した光を反射させる反射傘とを備え、反射傘にトリガ電圧を印加することで閃光放電管が発光するように構成されたストロボ装置において、前記閃光放電管及び反射傘の少なくとも何れか一方には、前記閃光放電管及び反射傘の少なくとも何れか他方に当接する導電性当接部が設けられ、該導電性当接部は、閃光放電管の軸心方向に沿って連続的又は断続的に配置されていることを特徴とする。
【００１３】
上記構成のストロボ装置によれば、閃光放電管が導電性当接部を介して反射傘と接続されているため、反射傘にトリガ電圧が印加されると、閃光放電管の外周面の前記当接部が接触した領域にトリガ電圧が印加されて該閃光放電管が発光するようになっている。
【００１４】
さらに、前記ストロボ装置によれば、前記閃光放電管と導電性当接部とが、該閃光放電管の軸心方向に沿って連続的又は断続的に当接している。すなわち、前記ストロボ装置は、前記閃光放電管の導電性当接部と当接している部分が前記軸心方向に沿って分布している。
【００１５】
これにより、前記ストロボ装置は、発光の都度、閃光放電管の周方向の異なる位置で光が発生することを防ぐことができため、安定した明るさの光を被写体に照射することができる。
【００１６】
そして、本発明の一態様として、前記反射傘は、金属プレートから成形されるとともに、前記導電性当接部が前記閃光放電管の軸心方向に沿って真っ直ぐ伸びるとともに、反射面側に突出するように形成されていてもよい。
【００１７】
上記構成のストロボ装置によれば、閃光放電管と導電性当接部とが、該閃光放電管の軸心方向に沿って直線状となるように分布しているため、発光の都度、閃光放電管の周方向の異なる位置で光が発生することを防ぐことができる。これにより、前記ストロボ装置は、安定した明るさの光を被写体に照射することができる。
【００１８】
さらに、本発明の別の態様として、前記導電性当接部が突起状に形成されるとともに複数設けられ、該複数の導電性当接部が閃光放電管の軸心方向に沿って前記反射傘の反射面側に設けられていてもよい。
【００１９】
上記構成のストロボ装置によれば、閃光放電管の導電性当接部が接触している部分が、該閃光放電管の軸心方向に沿って分布しているため、発光の都度、閃光放電管の周方向の異なる位置で光が発生することを防ぐことができる。これにより、前記ストロボ装置は、安定した明るさの光を被写体に照射することができる。
【発明の効果】
【００２０】
以上のように、本発明のストロボ装置によれば、光量によらず安定した明るさの光を発生させることができるという優れた効果を奏し得る。
【図面の簡単な説明】
【００２１】
【図１】本発明の第一実施形態に係るストロボ装置の概略斜視図
【図２】同実施形態にかかるストロボ装置の概略図であって、（ａ）は、正面図、（ｂ）は、断面図
【図３】本発明の他の実施形態に係るストロボ装置の概略図であって、（ａ）は、正面図、（ｂ）は、断面図
【図４】本発明の別の実施形態に係るストロボ装置の概略図であって、（ａ）は、正面図、（ｂ）は、断面図
【発明を実施するための形態】
【００２２】
以下、本発明の一実施形態に係るストロボ装置について添付図面を参照しながら説明する。
【００２３】
本実施形態に係るストロボ装置は、図１に示すように、棒状の閃光放電管２と、該閃光放電管２から発生した光を反射させる反射傘３とを備えている。そして、前記ストロボ装置１は、閃光放電管２を反射傘３に固定するための固定手段５を備えている。さらに、前記ストロボ装置１は、前記ストロボ装置１は、前記反射傘３にトリガ電圧を印加するためのトリガ回路６を備えている。
【００２４】
前記閃光放電管２は、一方向に長手をなした筒状に形成されたガラスバルブ２０と、該ガラスバルブ２０の両端に封着された電極端子部２１，２１とを備えている。そして、前記閃光放電管２は、ガラスバルブ２０の内部にキセノンガス等の希ガスが封入されており、トリガ電圧が印加されて該希ガスが励起することによって光が発生するように構成されている。
【００２５】
本実施形態に係る反射傘３は、金属プレートをプレス成形されたもので、前記閃光放電管２を収容可能に形成されている。
【００２６】
より具体的には、前記反射傘３は、前記ガラスバルブ２０の軸心方向に沿って、該ガラスバルブ２０の周方向の所定範囲と対向するように湾曲した状態で形成された反射部３０と、該反射部３０の中心線方向における両端部を閉塞する側壁３１，３１とを備えている。さらに、本実施形態に係るストロボ装置１は、閃光放電管２と反射傘３とを電気的に接続するための導電性当接部４０(図２参照)を備えている。
【００２７】
前記側壁３１は、一対の側壁部３１ａ，３１ｂによって構成されている。そして、該側壁部３１ａ，３１ｂのそれぞれは、側面視における上下方向（以下、上下方向とする）に並んだ状態で反射部３０の長手方向における端部に連設されている。
【００２８】
さらに、前記側壁形成部３１ａ，３１ｂのそれぞれには、互いに対向する部分に切り欠き部３２ａ，３２ｂが形成されており、該切り欠き部３２ａ，３２ｂのそれぞれによって前記閃光放電管２を挿通可能な開口部３２が形成されている。
【００２９】
そして、前記導電性当接部４０は、反射部３０の反射面側（閃光放電管２の光を反射する面側）に突出するように形成されている。
【００３０】
本実施形態においては、前記導電性当接部４０は、図２（ａ）に示すように、閃光放電管２の軸心方向（反射部３０の長手方向）に沿って前記閃光放電管の軸心方向に沿って真っ直ぐ伸びるように形成されている。さらに、本実施形態においては、前記導電性当接部４０は、反射面側に二条設けられている。
【００３１】
これにより、前記導電性当接部４０は、反射傘３に挿通された閃光放電管２に先端部が当接するように構成されている。すなわち、本実施形態に係る閃光放電管２は、導電性当接部４０が軸心方向に沿って直線状に当接した状態になる。
【００３２】
前記固定手段５は、前記閃光放電管２の端部を挿通可能な一対の挿通部５０と、該挿通部５０同士を連結する連結部５１とを備えている。本実施形態において連結部５１は、伸縮性のある素材（例えば、ゴム）で構成されている。
【００３３】
そして、前記挿通部５０，５０のそれぞれは、閃光放電管２の端部に挿通された状態で連結部５１によって、前記反射部３０の反射面側に引っ張られる。これにより、前記閃光放電管２は、導電性当接部４０に押し当てられた状態で固定される。
【００３４】
本実施形態に係るストロボ装置１についての説明は以上であり、続いてトリガ回路６からトリガ電圧が印加されることによって閃光放電管２から光が発生する動作について説明する。
【００３５】
本実施形態に係るストロボ装置１で光を発生させるには、まず、前記ガラスバルブ２０の両端にある電極端子部２１，２１に電力を供給しつつ、トリガ回路６から反射傘３にトリガ電圧を印加する。そうすると、前記閃光放電管２は、ガラスバルブ２０の外周面のうち導電性当接部４０と接触した領域にトリガ電圧が印加されて閃光放電管が発光するようになっている。
【００３６】
このとき、トリガ電圧を印加する時間を長くすれば、閃光放電管２の内部における光が発生する領域を広げることができるため、光量の多い光を発生させることができる。また、トリガ電圧を印加する時間を短くすれば、閃光放電管２の内部における光が発生する領域を小さくすることができるため、光量の少ない光を発生させることができる。
【００３７】
本実施形態に係るストロボ装置１は、上述のように、閃光放電管２に導電性当接部材４０の先端部が軸心方向に沿って直線状に当接しているため、ガラスバルブ２０の周方向の所定範囲における不特定な位置で光が発生することを防ぐことができるため、光量の少ない光を発生させても明るさを安定させることができる。
【００３８】
以上のように、本実施形態に係るストロボ装置１は、光量の少ない光を発生させても、発光の都度、閃光放電管２の周方向の異なる位置で光が発生することを防ぐことができため、安定した明るさの光を被写体に照射することができる。
【００３９】
尚、本発明のストロボ装置は、上記実施形態に限定されるものではなく、本発明の要旨を逸脱しない範囲において種々変更を行うことは勿論である。
【００４０】
上記実施形態において導電性当接部４０は、反射面側に二条設けられていたが、これに限定されるものではなく、例えば、一条にしてもよい。
【００４１】
また、上記実施形態において導電性当接部４０は、反射部３０に一体的に設けられていたが、これに限定されるものではなく、図３（ａ）及び図３（ｂ）に示すように、反射部３０とは別体で構成してもよい。
【００４２】
導電性当接部４１と反射部３０とを別体で構成する場合、導電性当接部４１は、反射部３０又は、ガラスバルブ２０に接着すればよい。
【００４３】
さらに、反射部３０とは別体で構成された導電性当接部４１を二条用いる場合は、一方の導電性当接部を反射部３０に接着し、他方の導電性当接部４１をガラスバルブ２０に接着してもよい。
【００４４】
なお、導電性当接部をガラスバルブ２０又は反射部３０に接着する場合、導電性を有する接着剤を用いることは言うまでもない。
【００４５】
また、上記実施形態において導電性当接部４０は、プレス成形によって反射部３０に形成されていたが、これに限定されるものではなく、例えば、図４（ａ），図４（ｂ）に示すように突起状で複数形成し、反射傘３とは別体で構成してもよい。
【００４６】
このように、反射傘３とは別体で構成された導電性当接部４２を用いる場合は、該導電性当接部４２を導電性を有する接着剤等で反射部３０の反射面側、又はガラスバルブ２０に接着してもよい。また、導電性当接部４２を反射部３０の反射面側とガラスバルブ２０との両方に接着してもよい。
【産業上の利用可能性】
【００４７】
本発明のストロボ装置は、棒状の閃光放電管と、該閃光放電管からの光を反射させる反射傘とを備え、反射傘にトリガ電圧を印加することで閃光放電管が発光するように構成されたストロボ装置において、前記閃光放電管及び反射傘の少なくとも何れか一方には、前記閃光放電管及び反射傘の少なくとも何れか他方に当接する導電性当接部が設けられ、該導電性当接部は、閃光放電管の軸心方向に沿って連続的又は断続的に配置することによって、光量によらず安定した明るさの光を発生させることが必要な用途にも適用できる。
【符号の説明】
【００４８】
１  ストロボ装置
２  閃光放電管
３  反射傘
４０  導電性当接部
４１  導電性当接部
４２  導電性当接部
【図１】
2012194304.tif 000003
【図２】
2012194304.tif 000004
【図３】
2012194304.tif 000005
【図４】
2012194304.tif 000006